(57)【要約】【課題】簡易な構成で吸光度測定に利用することのできる光測定器を提供する。【解決手段】光測定器は、第一孔部とを含む本体部と、蓋部とを備える。本体部は、光源部と、光源部から射出される測定用光を第一孔部側に導光するための第一窓部と、第一孔部を介して第一窓部とは反対側の位置に設けられた第二窓部と、第二窓部から入射された光が導かれる受光部とを備える。第一孔部は、当該第一孔部の形状に対応した形状を有するアダプタが装着可能に構成されている。アダプタは、第二孔部を含み、第一孔部内に装着可能であり、第一孔部内に装着された状態で、第一窓部を第一孔部に対して遮光しないように設けられた窓部、及び第二窓部を第一孔部に対して遮光しないように設けられた第四窓部を備え、測定用試料を収容するための容器が第二孔部内に装着されることで、第三窓部と第四窓部との間に測定用試料を位置させることが可能に構成されている。【選択図】        図７
2018189538.tif 000002
【特許請求の範囲】
【請求項１】
第一面と、前記第一面と反対側に位置する第二面と、前記第一面の一部領域から前記第二面に向かう向きに設けられた第一孔部とを含む本体部を備え、
前記本体部は、光源部と、前記光源部から射出された測定用光を前記第一孔部側に導光するための第一窓部と、前記第一孔部を介して前記第一窓部とは反対側の位置に設けられた第二窓部と、前記第二窓部から入射された光が導かれる受光部とを内蔵し、
前記第一孔部は、当該第一孔部の形状に対応した形状を有するアダプタが装着可能に構成されており、
前記アダプタは、
第三面と、前記第三面と反対側に位置する第四面と、前記第三面の一部領域から前記第四面に向かう向きに設けられた第二孔部とを含み、前記第四面を前記第二面側に向けた状態で前記第一孔部内に装着可能であり、
前記第一孔部内に装着された状態で、前記光源部から射出された前記測定用光の光軸上における前記第一窓部と前記第二窓部との間であって前記第一窓部側に位置する第三窓部と、前記光源部から射出された前記測定用光の光軸上における前記第一窓部と前記第二窓部との間であって前記第二窓部側に位置する第四窓部とを備え、
測定用試料を収容するための容器が前記第二孔部内に装着されることで、前記第三窓部と前記第四窓部との間に前記測定用試料を位置させることが可能に構成されていることを特徴とする光測定器。
【請求項２】
前記本体部に装着されることで前記第一面を塞ぐように構成された蓋部を備え、
前記蓋部は、
当該蓋部を構成する面の一部に設けられた第一開口領域と、
前記第一開口領域に嵌め込み可能に構成され、前記第一開口領域よりも径の短い第二開口領域を有する、着脱自在の第一キャップとを有し、
前記アダプタは、前記第一開口領域に前記第一キャップが装着された状態で、前記測定用試料を収容するための長尺用の前記容器が前記第二開口領域を挿通して装着されることで、前記第三窓部と前記第四窓部との間に前記測定用試料を位置させることが可能に構成されていることを特徴とする請求項１に記載の光測定器。
【請求項３】
前記第一開口領域に嵌め込み可能に構成された、開口領域を有しない着脱自在の第二キャップを有することを特徴とする請求項２に記載の光測定器。
【請求項４】
前記本体部に装着されることで前記第一面を塞ぐように構成された蓋部を備え、
前記本体部又は前記蓋部の少なくともいずれか一方は、前記蓋部が前記本体部に装着された状態で、前記蓋部の内側面よりも内側の位置において、前記第一孔部の開口面を実質的に取り囲むように形成された壁部を備えることを特徴とする請求項１に記載の光測定器。
【請求項５】
前記本体部又は前記蓋部の少なくともいずれか一方は、前記蓋部が前記本体部に装着された状態で、前記蓋部の内側面よりも内側の位置において、前記第一孔部の開口面を実質的に取り囲むように形成された壁部を備えることを特徴とする請求項２又は３に記載の光測定器。
【請求項６】
前記蓋部と前記本体部とを連結する連結部を有し、
前記蓋部は、前記連結部を支点として、前記本体部に対して開閉可能に構成されていることを特徴とする請求項２〜５のいずれか１項に記載の光測定器。
【請求項７】
前記蓋部と前記本体部とは分離可能に構成されており、前記蓋部と前記本体部の双方にねじ切りが施されていることを特徴とする請求項２〜５のいずれか１項に記載の光測定器。
【請求項８】
請求項１〜７のいずれか１項に記載の光測定器に用いられるアダプタであって、前記第一孔部内に装着可能であり、前記測定用試料を収容するための前記容器が前記第二孔部内に装着されることで、前記第三窓部と前記第四窓部との間に前記測定用試料を位置させることが可能に構成されていることを特徴とする光測定器用アダプタ。
【請求項９】
請求項１〜７のいずれか１項に記載の光測定器に用いられる、前記測定用試料が収容されるための容器であって、
前記アダプタの前記第二孔部内に装着可能に構成されていることを特徴とする光測定器用容器。
【発明の詳細な説明】
【技術分野】
【０００１】
本発明は、光測定器に関し、特に吸光度測定器などに用いられる可搬式の光測定器に関する。
【背景技術】
【０００２】
下記特許文献１には、従来の吸光度測定器についての技術が開示されている。光源部から射出された光は、レンズを経由して試料に照射される。試料は、例えば石英製のセルやＰＣＲチューブに入れられる。試料を透過した光は、必要に応じて光学系で集光、反射された後、光検出器（受光部）に入射される。光源部から射出された光の強度と受光部において受光された光の強度との関係から吸光度が算出される。この吸光度の値に基づいて、試料中の目的物質の濃度が測定できる。
【先行技術文献】
【特許文献】
【０００３】
【特許文献１】特開２０１４−１２６５２９号公報
【発明の概要】
【発明が解決しようとする課題】
【０００４】
近年、ライフサイエンス分野では、ポイントオブケア検査（ＰＯＣＴ）に用いることなどを目的に、吸光度測定器などの光学測定器に関して、持ち運びを容易にするために小型化の要請がある。試料が採取される場所、すなわち患者の近くで検査を行うことができれば、短い検査時間で簡易的な分析ができるため、利便性が高い。例えば、この分析を行うことで一次的なスクリーニングが可能となり、大型装置を用いた高精度の検査を行う必要のあるサンプル数を限定することができる。
【０００５】
上記特許文献１に開示されている吸光度測定器は、高精度・高機能であるものの、複雑な光学系を要するため大型・高価であるため、上記のように、一次的なスクリーニングに用いるには不向きである。
【０００６】
本発明は、上記の課題に鑑み、簡易な構成で吸光度測定に利用することのできる光測定器を提供することを目的とする。
【課題を解決するための手段】
【０００７】
本発明に係る光測定器は、
第一面と、前記第一面と反対側に位置する第二面と、前記第一面の一部領域から前記第二面に向かう向きに設けられた第一孔部とを含む本体部を備え、
前記本体部は、光源部と、前記光源部から射出される測定用光を前記第一孔部側に導光するための第一窓部と、前記第一孔部を介して前記第一窓部とは反対側の位置に設けられた第二窓部と、前記第二窓部から入射された光が導かれる受光部とを内蔵し、
前記第一孔部は、当該第一孔部の形状に対応した形状を有するアダプタが装着可能に構成されており、
前記アダプタは、
第三面と、前記第三面と反対側に位置する第四面と、前記第三面の一部領域から前記第四面に向かう向きに設けられた第二孔部とを含み、前記第四面を前記第二面側に向けた状態で前記第一孔部内に装着可能であり、
前記第一孔部内に装着された状態で、前記光源部から射出された前記測定用光の光軸上における前記第一窓部と前記第二窓部との間であって前記第一窓部側に位置する第三窓部と、前記光源部から射出された前記測定用光の光軸上における前記第一窓部と前記第二窓部との間であって前記第二窓部側に位置する第四窓部とを備え、
測定用試料を収容するための容器が前記第二孔部内に装着されることで、前記第三窓部と前記第四窓部との間に前記測定用試料を位置させることが可能に構成されていることを特徴とする。
【０００８】
光測定器は、測定用試料を所定の容器に収容した状態で用いられる。この容器は、ＰＣＲチューブなどの管形状のものや、石英製の直方体形状のセルのようなものなど、種々のものが用いられる。光測定器を携帯して、現場で利用することを想定した場合、多様な容器に対応可能な構成とするのが好ましい。
【０００９】
また、測定したい物質の濃度に応じて、溶液を光が通過する際の光路長を変化させる必要性が生じる場合がある。このような要請に応じるためにも、種々の容器に適用できることが好ましい。
【００１０】
上記の構成によれば、本体部に第一孔部が設けられており、この第一孔部はアダプタを装着可能に構成されている。このアダプタは、第二孔部が設けられており、この第二孔部は容器を装着可能に構成されている。すなわち、本体部の第一孔部に装着可能であって、容器の形状に応じた第二孔部を有するアダプタを複数種類用意しておくことで、多様な形状を示す容器に測定用試料を収容させた状態で、試料の濃度の測定を行うことが可能となる。
【００１１】
前記光測定器は、前記本体部に装着されることで前記第一面を塞ぐように構成された蓋部を備え、
前記蓋部は、
当該蓋部を構成する面の一部に設けられた第一開口領域と、
前記第一開口領域に嵌め込み可能に構成され、前記第一開口領域よりも径の短い第二開口領域を有する、着脱自在の第一キャップとを有し、
前記アダプタは、前記第一開口領域に前記第一キャップが装着された状態で、前記測定用試料を収容するための長尺用の前記容器が前記第二開口領域を挿通して装着されることで、前記第三窓部と前記第四窓部との間に前記測定用試料を位置させることが可能に構成されているものとしても構わない。
【００１２】
上記の構成によれば、特に測定用試料を収容する容器がＰＣＲチューブなどの管形状で構成されている場合に、安定して容器を本体に装着することが可能となる。
【００１３】
上記の構成において、前記第一開口領域に嵌め込み可能に構成された、開口領域を有しない着脱自在の第二キャップを有するものとしても構わない。
【００１４】
上記の構成によれば、直方体形状を示す容器を用いて試料測定を行う際に、管形状容器を用いた測定用の第一開口領域を閉塞することができるため、外乱光が内部に入射されることが抑制される。
【００１５】
前記光測定器は、前記本体部に装着されることで前記第一面を塞ぐように構成された蓋部を備え、
前記本体部又は前記蓋部の少なくともいずれか一方は、前記蓋部が前記本体部に装着された状態で、前記蓋部の内側面よりも内側の位置において、前記第一孔部の開口面を実質的に取り囲むように形成された壁部を備えるものとしても構わない。
【００１６】
蓋部は本体部を閉塞することができるように構成されているが、場合によっては蓋部と本体部との微小な隙間から外乱光が内部に入射されることが考えられる。上記のように壁部が設けられることで、仮に前記隙間から外乱光が入射されても、当該壁部で光を遮蔽することができるため、外乱光が第一窓部と第二窓部とに挟まれた測定用光の光路内に侵入することを抑制できる。また、前記壁部を設けることで、前記隙間からの水分の侵入を抑制する効果も得られる。
【００１７】
前記光測定器は、前記蓋部と前記本体部とを連結する連結部を有し、
前記蓋部は、前記連結部を支点として、前記本体部に対して開閉可能に構成されているものとしても構わない。
【００１８】
前記光測定器において、
前記蓋部と前記本体部とは分離可能に構成されており、前記蓋部と前記本体部の双方にねじ切りが施されているものとしても構わない。
【００１９】
本発明に係るアダプタは、前記光測定器に用いられるアダプタであって、前記第一孔部内に装着可能であり、前記測定用試料を収容するための前記容器が前記第二孔部内に装着されることで、前記第三窓部と前記第四窓部との間に前記測定用試料を位置させることが可能に構成されていることを特徴とする。
【００２０】
本発明に係る容器は、前記光測定器に用いられる、前記測定用試料が収容されるための容器であって、前記アダプタの前記第二孔部内に装着可能に構成されていることを特徴とする。
【発明の効果】
【００２１】
本発明によれば、簡易な構成で、多様な形状の容器を利用することができる光測定器が実現される。これにより、特に試料を採取する現場近くでの測定が可能となる。
【図面の簡単な説明】
【００２２】
【図１】本発明の光測定器の一実施形態の構成を模式的に示す斜視図である。
【図２】図１の状態から蓋部を開けた状態の光測定器の構成を模式的に示す斜視図である。
【図３】図２の状態から容器を取り外した状態の光測定器の構成を模式的に示す斜視図である。
【図４】容器の一実施形態の構成を模式的に示す斜視図である。
【図５】図３の状態からアダプタを取り外した状態の光測定器の構成を模式的に示す斜視図である。
【図６】アダプタの一実施形態の構成を模式的に示す斜視図である。
【図７】本発明の光測定器の一実施形態の構成を模式的に示す断面図である。
【図８】図７の状態からアダプタを取り外した状態の光測定器の構成を模式的に示す断面図である。
【図９】本発明の光測定器の一実施形態の構成を模式的に示す断面図である。
【図１０】本発明の光測定器の一実施形態の構成を模式的に示す斜視図である。
【発明を実施するための形態】
【００２３】
本発明に係る光測定器の実施形態につき、図面を参照して説明する。なお、以下の各図面において、実際の寸法比と図面上の寸法比は必ずしも一致しない。
【００２４】
図１は、本発明に係る光測定器の一実施形態の構成を模式的に示す斜視図である。光測定器１は、測定用試料における測定対象物質の濃度などを吸光度として測定するためなどに用いられるものであり、測定対象物質は、例えば大腸菌、タンパク質、ポリメラーゼ連鎖反応（ＰＣＲ）によって増幅されて得られたＤＮＡや、色素などである。
【００２５】
光測定器１は、本体部３と蓋部５とを備える。本実施形態では、光測定器１が実質的に円柱型の形状を示す場合を例に挙げて説明するが、蓋部５側から見たときの形状が多角形であっても構わないし、曲線と直線とが混在する形状であっても構わない。光測定器１は、後述する光源部４１を内蔵している。図１の例では、当該光源部４１に対する電源供給の開始を指示するための電源ボタン７が本体部３の外側面に設けられている。
【００２６】
図２は、図１の状態から蓋部５を開けた状態の光測定器１の構成を模式的に示す斜視図である。本実施形態において、光測定器１は、蓋部５と本体部３とを連結する連結部１８を備えており、蓋部５は連結部１８を支点として本体部３に対して開閉可能に構成されている。
【００２７】
図２では、光測定器１の本体部３に、測定用試料を収容するための容器２０が装着された状態が図示されている。後述されるように、図２の状態の光測定器１において、本体部３にはアダプタ３０が装着されており、容器２０はアダプタ３０に装着されている。
【００２８】
図３は、図２の状態から容器２０を取り外した状態の光測定器１の構成を模式的に示す斜視図である。図４は、容器２０の一実施形態の構成を模式的に示す斜視図である。図５は、図３の状態からアダプタ３０を取り外した状態の光測定器１の構成を模式的に示す斜視図である。図６は、アダプタ３０の一実施形態の構成を模式的に示す斜視図である。
【００２９】
図７は、図１の状態の光測定器１を平面Ｐ１で切断したときの模式的な断面図である。図８は、図７の状態からアダプタ３０を取り外した状態の光測定器１の構成を模式的に示す断面図である。図９は、図１の状態の光測定器１を平面Ｐ２で切断したときの模式的な断面図である。
【００３０】
本体部３は、蓋部５に近い側に位置する第一面１１と、第一面１１とは反対側に位置する第二面１２とを有する。本実施形態において、第二面１２は底面を構成し、第一面１１は上面を構成する。ただし、本発明において、本体部３をどのような向きに配置して利用されても構わない。第二面１２を底面とした場合において、蓋部５を含む光測定器１の寸法の一例は、横方向約９２ｍｍ×奥行き方向約９０ｍｍ×高さ方向約９０ｍｍであり、重量の一例は約１８０ｇである。
【００３１】
本体部３は、第一面１１の一部領域から第二面１２に向かう向きに形成された、第一孔部１３を有する。第一孔部１３は、第一面１１から第二面１２に向かう方向に見たときに、第一面１１のほぼ中央付近に形成されている。すなわち、本体部３において、第一孔部１３の周囲に第一孔部１３の底面よりも高さの高い第一面１１が設けられている。なお、本実施形態では、光測定器１は、本体部３の第一面１１上に、第一孔部１３を取り囲むように構成された壁部１７を備えている。
【００３２】
アダプタ３０は、本体部３の第一孔部１３に装着可能な形状を有して構成されている。アダプタ３０の高さは、第一孔部１３の深さよりも短い構成である。アダプタ３０は、第三面３３と、第三面３３とは反対側に位置する第四面３４とを有する。アダプタ３０は、第四面３４を本体部３の第二面１２側に向けた状態で第一孔部１３内に装着可能に構成されている。
【００３３】
アダプタ３０は、第三面３３の一部領域から第四面３４に向かう向きに形成された、第二孔部３１を備える。第二孔部３１は、第三面３３から第四面３４に向かう方向に見たときに、第三面３３のほぼ中央付近に形成されている。すなわち、アダプタ３０において、第二孔部３１の周囲に第二孔部３１の底面よりも高さの高い第三面３３が設けられている。
【００３４】
容器２０は、アダプタ３０の第二孔部３１に装着可能な形状を有して構成されている。容器２０は試料注入口２１を有する。試料注入口２１は開閉可能に構成されており、試料注入口２１を開放した状態で測定用試料を容器２０内に注入することで利用される。本体部３の第一孔部１３に装着されたアダプタ３０の第二孔部３１に、測定用試料が収容された容器２０を装着することで、本体部３に測定用試料が収容された容器２０が装着される（図２、図８参照）。その後、蓋部５を移動させて本体部３を塞ぐことで、光測定器１のセッティングが完了する（図１、図７参照）。
【００３５】
図７に示すように、本体部３は、光源部４１と、受光部４２とを備える。光源部４１は、例えば白色ＬＥＤなどのＬＥＤ素子で構成される。受光部４２は、例えばＲＧＢカラーセンサなどのフォトダイオードやフォトトランジスタで構成され、受光量に応じた電気信号を出力する。例えば受光部４２において検知された波長５６０ｎｍ付近の光の吸光度からＢＣＡ法によって、又は、波長６００〜７００ｎｍ付近の光の吸光度からブラッドフォード法によって、容器２０に収容された測定用試料に含まれるタンパク質の濃度を定量することができる。
【００３６】
本体部３は、第一導光路形成体６１と、第二導光路形成体６２とを備える。第一導光路形成体６１は、本体部３に内蔵されており、一部に空間が設けられている。そして、当該空間内に光源部４１が圧入されている。また、第一導光路形成体６１に設けられた空間は、光源部４１からの光を導くための第一窓部１５に連絡されている。第一窓部１５は、第一孔部１３を構成する本体部３の側壁の一部に接するように設けられている。第二導光路形成体６２は、本体部３に内蔵されており、一部に空間が設けられている。そして、当該空間内に受光部４２が圧入されている。また、第二導光路形成体６２に設けられた空間は、受光部４２に光を導くための第二窓部１６に連絡されている。第二窓部１６は、第一孔部１３を構成する本体部３の側壁の一部に接するように設けられている。第一窓部１５と第二窓部１６とが、第一孔部１３を介して対向する位置に設けられている。
【００３７】
本実施形態において、第一導光路形成体６１及び第二導光路形成体６２は、光吸収性を有する材料で構成されているのが好ましく、特に、光吸収性を有する弾性体で構成されているのがより好ましい。光吸収性を有する弾性体としては、光吸収性物質が分散された、ポリジメチルシロキサン（ＰＤＭＳ）などのシリコーン樹脂を用いることができる。シリコーン樹脂は自らが蛍光を発する自家蛍光が小さいため、より好適に用いることができる。また、光吸収性物質としては、例えば黒色の粉末を用いることができ、黒色の粉末としては、カーボンブラックやカーボンナノチューブなどが挙げられる。光吸収性物質が分散される弾性体の屈折率は、１．３以上１．８以下であることが好ましい。
【００３８】
アダプタ３０は、第三窓部３６と第四窓部３７とを備える。第三窓部３６及び第四窓部３７は、それぞれ第二孔部３１を構成するアダプタ３０の側壁の一部に接するように設けられている。第三窓部３６と第四窓部３７とは、第二孔部３１を介して対向する位置に設けられている。図３及び図７に示されるように、アダプタ３０を本体部３の第一孔部１３に装着した状態で、アダプタ３０の第三窓部３６と、本体部３の第一窓部１５とが連絡され、アダプタ３０の第四窓部３７と、本体部３の第二窓部１６とが連絡される。すなわち、アダプタ３０が本体部３の第一孔部１３に装着された状態で、第三窓部３６と第四窓部３７とは、共に、光源部４１から射出された光の光軸上における、第一窓部１５と第二窓部１６との間に位置する。これにより、アダプタ３０を本体部３に装着しても、アダプタ３０によって光源部４１から射出された光の光路が妨げられることがない。
【００３９】
このような構成の下で、アダプタ３０の第二孔部３１に測定用試料が収容された容器２０が装着された状態で、電源ボタン７が押下されると、基板５０から信号線５１を通じて光源部４１に対して電力が供給され、光源部４１が発光する。光源部４１から射出された測定用の光は、当該光の光軸上に位置している第一窓部１５、及び第三窓部３６を通じて容器２０内の試料に照射される。そして、一部の光は試料を透過して、当該光の光軸上に位置している第四窓部３７、及び第二窓部１６を通じて受光部４２に導かれる。受光部４２で受光された光量に応じた電気信号が、信号線５２を通じて基板５０に実装された演算部（不図示）に送られる。演算部において、受光部４２において受光された光量に基づいて、試料に含まれる所定の物質の濃度が算出される。
【００４０】
本実施形態によれば、アダプタ３０を本体部３の第一孔部１３に装着可能な形状とし、容器２０をアダプタ３０の第二孔部３１に装着可能な形状としておくことで、容器２０とアダプタ３０の組み合わせを変更することができる。これにより、容器２０の形状の自由度が高められる。
【００４１】
また、図４の例では、容器２０が凹部２２を備えている。そして、図６の例では、アダプタ３０は、第三窓部３３及び第四窓部３７が形成されている箇所が第二孔部３１側に突出している。これにより、容器２０をアダプタ３０に装着する際に、アダプタ３０に設けられた突出部と容器２０の凹部２２とが嵌合し、安定的に保持される。容器２０の凹部２２の窪みの深さを調整することで、光路上に位置する容器２０内の光路方向の長さを調整することができる。
【００４２】
また、上述したように、本実施形態の光測定器１は、本体部３の第一面１１に壁部１７を設ける構成とした。これにより、蓋部５を閉じたときに、蓋部５と本体部３との間に微小な隙間が形成されていた場合であっても、当該隙間から入射された外乱光を壁部１７で遮ることができる。これにより、外乱光が光源部４１と受光部４２との間の光路内に侵入することが抑制される。また、前記隙間から水分が侵入した場合であっても、第一孔部１３側に水分が侵入するのを壁部１７によって遮ることができる。
【００４３】
なお、図１０に示すように、蓋部５の一部分に第一開口領域７１が形成されており、この第一開口領域７１に対して着脱可能に構成された、第一キャップ７２、第二キャップ７４を備える構成としても構わない。第一キャップ７２は、第一開口領域７１よりも径の小さい第二開口領域７３を有している。第二キャップ７４は、開口領域を有しない構成である。図１は、第一開口領域７１に第二キャップ７４が装着された状態の斜視図に対応する。第二キャップ７４を取り外して第一キャップ７２を装着し、第二開口領域７３を通じて、例えばＰＣＲチューブのような長尺状の容器２５を挿通させることで、当該容器２５を光測定器１に装着することができる。この場合、容器２５の形状に対応したアダプタ３０を用いるものとして構わない。
【００４４】
［別実施形態］
以下、別実施形態につき説明する。
【００４５】
〈１〉上述した実施形態では、第一面１１に設けられた壁部１７が、第一孔部１３を完全に取り囲むように構成されていたが、一部の領域に壁部１７が形成されていない箇所が存在していても構わない。また、壁部１７が二周以上設けられていても構わないし、入れ子状に設けられていても構わない。ここで、入れ子状に壁部１７が設けられているとは、第一孔部１３の外周部分において、第一面１１側の第一孔部１３の中心位置からの距離が異なる複数の壁部１７が離散的に配置されることで、複数の壁部１７によって第一孔部１３の外周が取り囲まれている状態を指す。すなわち、壁部１７は、第一孔部１３を実質的に取り囲むように構成されているものとしても構わない。
【００４６】
また、壁部１７は、蓋部５側に設けられていても構わない。この場合、蓋部５を本体部３に対して閉じたときに、蓋部５に設けられた壁部１７が、本体部３に設けられた第一孔部１３を実質的に取り囲むように構成されているものとして構わない。また、壁部１７は、本体部３と蓋部５の双方に設けられていても構わない。
【００４７】
〈２〉上述した実施形態では、蓋部５は、連結部１８を支点として本体部３に対して開閉可能に構成されているものとした。しかし、本体部３及び蓋部５の双方にねじ切りが施されており、蓋部５を本体部３に対してねじ込むことで、本体部３の第一面１１側を塞ぐことのできる構成としても構わない。
【００４８】
〈３〉本体部３に設けられた基板５０には、所定の無線形式で信号の送受信が可能な送受信部を備えるものとしても構わない。この場合、受光部４２で受光された光量に基づいて算出された演算結果に関する情報が、無線通信を介して所定のコンピュータ、スマートフォン、その他のデバイスに送信される構成とすることができる。
【００４９】
〈４〉光測定器１は、電源ボタン７を蓋部５に設けていても構わないし、電源ボタン７を備えない構成としても構わない。後者の場合、本体部３において、例えば無線を介して電源をオンにする指示信号が受信可能に構成されているものとすることができる。
【００５０】
〈５〉上記実施形態では、光測定器１が蓋部５を備えるものとして説明したが、光測定器１が蓋部５を備えない構成とすることも可能である。光測定器１が利用される場所が暗室などのように、光測定器１内部に入り込む外光の光量が極めて低い場合には、蓋部５を備えない構成であっても、光測定器１を測定用試料の分析に利用することが可能である。
【符号の説明】
【００５１】
１      ：    光測定器
３      ：    本体部
５      ：    蓋部
７      ：    電源ボタン
１１      ：    第一面
１２      ：    第二面
１３      ：    第一孔部
１５      ：    第一窓部
１６      ：    第二窓部
１７      ：    壁部
１８      ：    連結部
２０      ：    容器
２１      ：    試料注入口
２２      ：    凹部
２５      ：    長尺状の容器
３０      ：    アダプタ
３１      ：    第二孔部
３３      ：    第三面
３４      ：    第四面
３６      ：    第三窓部
３７      ：    第四窓部
４１      ：    光源部
４２      ：    受光部
５０      ：    基板
５１      ：    信号線
５２      ：    信号線
５３      ：    ネジ
６１      ：    第一導光路形成体
６２      ：    第二導光路形成体
７１      ：    第一開口領域
７２      ：    第一キャップ
７３      ：    第二開口領域
７４      ：    第二キャップ
【図１】
2018189538.tif 000003
【図２】
2018189538.tif 000004
【図３】
2018189538.tif 000005
【図４】
2018189538.tif 000006
【図５】
2018189538.tif 000007
【図６】
2018189538.tif 000008
【図７】
2018189538.tif 000009
【図８】
2018189538.tif 000010
【図９】
2018189538.tif 000011
【図１０】
2018189538.tif 000012